(57)【要約】【課題】  遊技店で使用されているメダルを払い出して貸し出す貸機であって、遊技で得られたメダルを投入シュートから貸機に戻して、メダル数を電気的処理できるようにする為のメダル投入シュートを有する貸機において、メダルを手で掴んでメダル投入シュートのメダル投入口へ投入する際、メダルが投入口の外側へ落下して店の床・棚に散乱することを少なくする。及び、投入口へ異物の投入を抑止する。【解決手段】  投入シュートを貸機の前面から前後に移動可能とし、投入後方位置では投入口の蓋が閉まるようにし、しかも投入シュートを前方に移動されると投入シュートを構成する右側壁面を構成する前中間側面部１０ｄ２と後中間側面部１０ｄ３がコイルねじりばね１０ｋ１の付勢力で右外方向に拡がって、投入シュートの投入口の面積を右方向に拡大させ、投入される。メダルの投入口外側からの落下を少なくする。【選択図】図３
2017113447.tif 000002
【特許請求の範囲】
【請求項１】
紙幣・硬貨又は有価カードの使用により遊技機に使用するメダルを所要枚数払い出し、又遊技機を使用して得られたメダルを投入できるメダル投入口を有する筒状の投入シュートを貸機前面に設け、同投入シュートに投入されたメダルを貸機内に配置したメダルカウンターまで送る搬送路を有し、同メダルカウンターで投入されたメダル枚数を電気信号として出力し、貸機内外にあるメダル数計数処理装置に上記電気信号を入力させてメダル数の計算に使用できるようにした遊技機用貸機に於いて、
投入シュートを貸機前面の開口から前方に突出する状態に設けるとともに、更に所定寸法前方向に進退可能とし、しかも投入シュートを前方に引出せば投入シュートの投入口が左右に拡巾する構造とし、投入シュートを前方へ引出すことで投入口が左右に拡巾して開口面積が増えて、投入シュートからメダルを零れることなく投入でき易くしたことを特徴とする、遊技機用貸機。
【請求項２】
投入シュートの左又は右の側壁を複数の側面部材から構成し、しかも複数の側面部材は貸機前面の開口の口縁に収まる形状から左右外方向に大きく膨れた形状に可逆的に変形可能の構造とし、同側面部材を左右に膨れた形状となるように付勢する付勢部材を取付け、投入シュートを開口から所定位置の後方位置では開口の口縁が投入シュートの各側面部材を付勢部材の付勢力に抗して開口口縁内に収まるように規制するようにし、投入シュートを前記所定位置より前方に引出すことで開口の口縁による規制がなくなって、付勢部材の付勢力で投入シュートが左右に膨れた形状となって投入シュートの投入口が左右に拡巾するようにした、請求項１記載の遊技機用貸機。
【請求項３】
前記投入シュートの構造が、連結された前壁と後壁と左側壁と右側壁とで囲われ、投入口となる上方開口が底開口より前後方向に長い筒状にし、しかも投入シュートの左又は右側のいずれかの側壁が前側面部，前中間面部，後中間面部，後側面部の４枚の側面部材から構成され、前側面部は投入シュートの前壁の縁に固定されて後辺が後方下方へ向って傾斜辺となった垂直な固定された四辺体であり、後側面部は投入シュートの後壁の縁に固定されて前辺が前下方に向った傾斜辺を有する垂直な固定された台形状の四辺体であり、
前中間面部は下辺が長い略逆三角形状をしていて、前側面部の傾斜した後辺と前中間面部の前辺とをつき合わせて、つき合わされた斜めの後辺と斜めの前辺とに軸孔を有する軸受部をそれぞれ固設し、両辺の軸受部に一本の枢支軸を貫入して前中間面部を前側面部の傾斜した軸支軸まわりに回転可能とし、
又、後側面部の斜めの前辺と後中間側面部の後辺とにそれぞれ軸孔を有する軸部を設け、これら軸受部に一本の枢支軸を貫入して後中間面部を斜めの枢支軸まわりに回転自在にし、しかも各枢支軸に付勢部材であるコイルねじりばねを取付け、そのコイルねじりばねのスプリング力が前中間面部と後中間面部を外側方に付勢するように係止させ、そして、前中間側面部は内側にあって後中間側面部が外側となるようにして前中間側面部の外方向の回転で後中間側面部の内面に接触するようにして、側壁が左右外方向に拡巾できるようにした、請求項２記載の遊技機用貸機。
【請求項４】
投入口の蓋の後端を貸機の前面の開口の上方位置で保持された枢支軸で枢支し、又蓋の後端に下方に向ったアームを垂設し、投入シュートを後方に戻すと蓋後端に垂設したアームが蓋を閉じる方向に動き且つ投入シュートを前方に引出すと蓋が上方に回動して開く方向に動くように投入シュートの側壁の動きとアームの回動を連係する構造とし、投入シュートを後方に戻すと投入シュートの投入口は蓋によって閉じられるようになる、請求項１〜３何れか記載の遊技機用貸機。
【請求項５】
側壁の動きとアームの回動の連係構造が、投入シュートの側壁に上下に延びた縦長孔を開口し、蓋後端に垂設したアームの下端に前記縦長孔に貫入して縦長孔の孔壁と接衝する水平軸部を設け、投入シュートの前後動を蓋のアームを介して蓋の開閉に連係させたものである、請求項４記載の遊技機用貸機。
【発明の詳細な説明】
【技術分野】
【０００１】
メダルを投入して遊技する遊技機の近くに配置され、紙幣・硬貨又は有価カードの使用により遊技機に使用するメダルを払い出す貸機であって、遊技機で使用されたメダルを貸機の前面にある投入シュートから投入すると、投入したメダルの枚数分だけ電気信号でメダル枚数を出力して、これを表示又はその投入総数等を表示し、更に貸機内外にあるメダル数処理装置へそのメダル枚数の電気信号を送れるようにした貸機において、投入シュートから人がメダルを投入するとき、メダルが投入シュート外へ零れるのを少なくする技術である。
【背景技術】
【０００２】
従来、遊技店ではメダルを使用する複数の各遊技機の傍に貸機が配置されている。貸機は、紙幣・硬貨又は有価カードを使用すると、所要枚数のメダルが貸機の受皿又は遊技機に直接払い出されるようになっている。
【０００３】
近年、特許文献１で知られるように遊技機で得たメダルを遊技中に整理の為又は精算の為に貸機の投入シュートから投入して、メダル枚数を貸機内のメダルカウンターでカウントしてそのメダル枚数を電気信号として出力し、更に投入したメダルのメダル枚数を貸機前面に表示し、又は貸機内又は外部のメダル枚数処理装置がこれを入力してメダル数の計算処理ができるようにしている。
【０００４】
従来の投入シュートは貸機の前面から突出するように固設された上方開口して投入口とする筒状のシュートであって、同投入シュートの底面の開口から貸機内にメダルを搬送し、貸機内のメダルカウンターへ送られてメダル枚数の電気信号を出力するようになっている。
【０００５】
しかしながら、この投入シュートの投入口へ遊技者が遊技機のメダルを手で掬って投入するが、その投入の際にメダルが投入口に落下せずにその外周から落下し、遊技店の床又は棚の上に散乱するように落下し、メダルの回収作業が必要となることが発生していた。又、その回収作業の為に遊技を中断せねばならなかった。
【０００６】
メダル掬れを防ぐために、出願人は投入シュートを前後方向に進退自在とし、前方に投入シュートを引出せば投入シュートの投入口が前後方向に長くなって投入口面積を増やし、メダル掬れを少なくする改良がなされている。しかしながら、投入口の前後方向に長くなって投入し易くなっているが、左右方向の巾がまだ狭いため、左右方向からメダルが掬れることが発生している。
【０００７】
これとは別に、貸機の投入シュートのメダル投入口へ心ない遊技者がタバコの吸殻・チューインガム等を投入することもあった。これら異物が投入されるとメダル搬送路を詰らせたり、メダルカウンターが故障したり、又はメダル回収路の故障・メダルの洗滌を困難としていた。
【先行技術文献】
【特許文献】
【０００８】
【特許文献１】特開２０１４−１２８５０４号公報
【発明の概要】
【発明が解決しようとする課題】
【０００９】
本発明が解決しようとする課題は、メダルを投入シュートへ零れることが少なく且つ容易に投入できるようにすることにある。他の課題はメダルを投入しない場合、投入シュートの投入口を閉鎖して異物の投入を少なくすることにある。
【課題を解決するための手段】
【００１０】
かかる課題を解決した本発明の構成は、
１）  紙幣・硬貨又は有価カードの使用により遊技機に使用するメダルを所要枚数払い出し、又遊技機を使用して得られたメダルを投入できるメダル投入口を有する筒状の投入シュートを貸機前面に設け、同投入シュートに投入されたメダルを貸機内に配置したメダルカウンターまで送る搬送路を有し、同メダルカウンターで投入されたメダル枚数を電気信号として出力し、貸機内外にあるメダル数計数処理装置に上記電気信号を入力させてメダル数の計算に使用できるようにした遊技機用貸機に於いて、
投入シュートを貸機前面の開口から前方に突出する状態に設けるとともに、更に所定寸法前方向に進退可能とし、しかも投入シュートを前方に引出せば投入シュートの投入口が左右に拡巾する構造とし、投入シュートを前方へ引出すことで投入口が左右に拡巾して開口面積が増えて、投入シュートからメダルを零れることなく投入でき易くしたことを特徴とする、遊技機用貸機
２）  投入シュートの左又は右の側壁を複数の側面部材から構成し、しかも複数の側面部材は貸機前面の開口の口縁に収まる形状から左右外方向に大きく膨れた形状に可逆的に変形可能の構造とし、同側面部材を左右に膨れた形状となるように付勢する付勢部材を取付け、投入シュートを開口から所定位置の後方位置では開口の口縁が投入シュートの各側面部材を付勢部材の付勢力に抗して開口口縁内に収まるように規制するようにし、投入シュートを前記所定位置より前方に引出すことで開口の口縁による規制がなくなって、付勢部材の付勢力で投入シュートが左右に膨れた形状となって投入シュートの投入口が左右に拡巾するようにした、前記１）記載の遊技機用貸機
３）  前記投入シュートの構造が、連結された前壁と後壁と左側壁と右側壁とで囲われ、投入口となる上方開口が底開口より前後方向に長い筒状にし、しかも投入シュートの左又は右側のいずれかの側壁が前側面部，前中間面部，後中間面部，後側面部の４枚の側面部材から構成され、前側面部は投入シュートの前壁の縁に固定されて後辺が後方下方へ向って傾斜辺となった垂直な固定された四辺体であり、後側面部は投入シュートの後壁の縁に固定されて前辺が前下方に向った傾斜辺を有する垂直な固定された台形状の四辺体であり、
前中間面部は下辺が長い略逆三角形状をしていて、前側面部の傾斜した後辺と前中間面部の前辺とをつき合わせて、つき合わされた斜めの後辺と斜めの前辺とに軸孔を有する軸受部をそれぞれ固設し、両辺の軸受部に一本の枢支軸を貫入して前中間面部を前側面部の傾斜した軸支軸まわりに回転可能とし、
又、後側面部の斜めの前辺と後中間側面部の後辺とにそれぞれ軸孔を有する軸部を設け、これら軸受部に一本の枢支軸を貫入して後中間面部を斜めの枢支軸まわりに回転自在にし、しかも各枢支軸に付勢部材であるコイルねじりばねを取付け、そのコイルねじりばねのスプリング力が前中間面部と後中間面部を外側方に付勢するように係止させ、そして、前中間側面部は内側にあって後中間側面部が外側となるようにして前中間側面部の外方向の回転で後中間側面部の内面に接触するようにして、側壁が左右外方向に拡巾できるようにした、前記２）記載の遊技機用貸機
４）  投入口の蓋の後端を貸機の前面の開口の上方位置で保持された枢支軸で枢支し、又蓋の後端に下方に向ったアームを垂設し、投入シュートを後方に戻すと蓋後端に垂設したアームが蓋を閉じる方向に動き且つ投入シュートを前方に引出すと蓋が上方に回動して開く方向に動くように投入シュートの側壁の動きとアームの回動を連係する構造とし、投入シュートを後方に戻すと投入シュートの投入口は蓋によって閉じられるようになる、前記１）〜３）何れか記載の遊技機用貸機
５）  側壁の動きとアームの回動の連係構造が、投入シュートの側壁に上下に延びた縦長孔を開口し、蓋後端に垂設したアームの下端に前記縦長孔に貫入して縦長孔の孔壁と接衝する水平軸部を設け、投入シュートの前後動を蓋のアームを介して蓋の開閉に連係させたものである、前記４）記載の遊技機用貸機
にある。
【発明の効果】
【００１１】
本発明では投入シュートが所定の位置から前方へ移動できるようにして、そしてメダルを投入するため前方に投入シュートを引出すとその投入口が前後方向ばかりでなく左右方向に拡巾するようになって、左右に拡巾したことで投入口の面積が増えてメダルの投入口以外からの零れることを少なくし、メダルを投入口へ投入することを確実且つ容易にし、その結果メダルが投入の際に床・棚に落下して散在して回収することを少なくした。
【００１２】
又、投入シュートを使用しない場合の後の位置にある場合は、投入シュートの側壁も後方にあって、蓋の枢支軸に軸着されたアームが後方にある側壁と連係して後方に揺動して蓋を枢支軸まわりに回動させて蓋が投入シュートの投入口を閉鎖するようになる。これによって、メダル投入をしない場合は投入シュートの投入口は蓋で閉鎖され、タバコの吸殻・チューインガム等の異物を投入口から投入できなくするようにしている。よって、異物投入による障害を少なくできる。メダルを投入する場合は、投入シュートを前方に引出すことで側壁と連係したアームは前方向に回動して、蓋は枢支軸まわりに上方向に回動して、投入口が開放されてメダルを投入できるようにした。
【図面の簡単な説明】
【００１３】
【図１】図１は、実施例の全体構成を示す説明図である。
【図２】図２は、本発明の実施例の貸機の投入シュートの後方位置での斜視図である。
【図３】図３は、実施例の投入シュートを引出した状態を示す斜視図である。
【図４】図４は、実施例の投入シュートが後方位置での投入シュートの縦断面図である。
【図５】図５は、実施例の投入シュートが前に引出した状態の縦断面図である。
【図６】図６は、実施例の投入シュートを示す斜視図である。
【図７】図７は、実施例の投入シュートを引出した状態の斜視図である。
【図８】図８は、実施例の投入シュートと蓋の貸機前面パネルとの取付状態を示す説明図である。
【図９】図９は、実施例の投入シュートの側面の収納状態と引出した拡巾状態を示す平面矢視説明図である。
【図１０】図１０は、実施例の構造を示す投入シュートの構造を示す分解説明図である。
【図１１】図１１は、コイルばねの初期状態を示す説明図である。
【図１２】図１２は、投入シュートの右側壁の閉じた状態（ａ）と開いた状態（ｂ）とを示す説明図である。
【発明を実施するための形態】
【００１４】
本発明における投入シュートの側壁面の左右方向拡巾構造は、左又は右いずれかの側壁面のみでも又は左右の両方側壁面ともに拡巾できるようにしてもよい。貸機を遊技機ケーシングと密着して配置する場合は、遊技機ケーシングに遠い側の左又は右の側壁面のみ拡巾可能とし、他の側壁面は固定の垂直面として遊技機に密接して貸機を配置できるようにするのが、設置面積を小さくできるので好ましい。
【００１５】
又、投入シュートの側壁面の拡巾構造は実施例の構造に限定するものでなく、拡巾する面を剛性ある側面部材でなく弾性ゴム面を使用し、バネ部材で弾性ゴム面を拡巾するようにし、後へ戻すことでバネ材を貸機の開口の開口口縁で収縮状態にしてもよい。
【００１６】
又、投入シュートの進退の長さは投入シュートの投入口の大部分が貸機の内部に隠される程後退るようにし、メダル投入するとき大きく前へ引出す構造にしてもよい。
【００１７】
以下、本考案の実施例を図１〜１２の図面を使って説明する。実施例は、遊技店の貸機の例であって、投入シュートの右側の側壁が前側面部，前中間面部，後中間面部，後側面部の４枚の側面部材から構成され、前側面部は投入シュートの前壁の右縁に固定されて後辺が後方下方へ向って傾斜辺となった垂直な固定された四辺体であり、後側面部は投入シュートの後壁の右縁に固定されて前辺が前下方に向った傾斜辺を有する垂直な固定された台形状の四辺体である。
前中間面部は下辺が長い略逆三角形状をしていて、前側面部の傾斜した後辺と前中間面部の前辺とをつき合わせて、つき合わされた斜めの後辺と斜めの前辺とに軸孔を有する軸受部をそれぞれ固設し、両辺の前記軸受部に一本の枢支軸を貫入して前中間面部を前側面部の傾斜した軸支軸まわりに回転可能としている。
又、後側面部の斜めの前辺と後中間面部の斜めの後辺とにそれぞれ軸孔を有する軸受部を設け、これら軸受部に一本の枢支軸を貫入して後中間面部を斜めの枢支軸まわりに回転自在にし、しかも各枢支軸に付勢部材であるコイルねじりばねを取付け、そのコイルねじりばねはスプリング力が前中間面部と後中間面部を右外側方に付勢するように係止されている。そして、前中間側面部は内側にあって後中間側面部が外側となるようにして前中間側面部の外方向の回転で後中間側面部の内面に接触するようにし、側壁にメダル落下する開口がないようにしている。
【００１８】
又、投入シュートの蓋は貸機の前面の開口の上方位置で水平に取付けた枢支軸まわりに回動するように蓋後端をこの枢支軸によって枢支している。そして、蓋後端に下方に延びたアームを垂設し、同アーム下端に水平軸部を設ける。投入シュートの側壁面に縦長孔を設け、アームの下端の水平軸部を前記縦長孔中に貫入している。
【００１９】
投入シュートの底面は開口され、投入シュートの下方に設けた投入シュート受枠が貸機前面に突出するように設けられ、シュート受枠の上縁部を投入シュートが滑るように前後移動できるようになっている。投入シュートを前方に引出した状態でシュートの底面開口は受枠の内部を介してメダル搬送路と絡がっていて、メダル搬送路は貸機内にメダルカウンターに延長してメダルをメダルカウンターへ送り出して、メダル枚数を電気信号として出力している。
【００２０】
（実施例の符号の説明）
図１〜１２中、Ｇは本発明の上記実施例の遊技機用貸機、Ｔは装置設置の棚、１は貸機、１ａは貸機の前面、１ａ１は投入シュート１０を前方へ突出させ且つ進退させる前面１ａの開口、１ａ２は同開口の開口縁、１ｂは貸機本体１内にあるメダルホッパー、１ｂ１はメダルホッパー１ｂからオーバーフローしたメダルを回収するオーバーフロー管、１ｃは同メダルホッパーのメダルを所要枚数排出するメダル払出器、１ｄはメダル払出装置から払い出されるメダルを送り出すメダル払出路、１ｅは同メダル払出路の先端部にあるメダル払い出しシュート、２ａはメダルホッパー１ｂへメダルを補給するメダル供給ライン、２ｂはメダル回収ライン、２ｃはメダル供給ライン２ａからのメダルをメダルホッパー１ｂへ送るメダル供給路、２ｄはオーバーフロー管１ｂ１及びメダルカウンター１４からのメダルをメダル回収ライン２ｂへ送るメダル回収路、３は紙幣投入口、４は紙幣の真偽とその紙幣種類を検査する紙幣判別装置、５はコンピュータを用いた貸機の各機器を制御し、及び遊技機９，遊技店のメイン管理コンピュータ等とデータの双方向通信する制御管理装置、６は貸機１の前面に設けた投入紙幣額表示器、７は投入された紙幣相当分のメダル払い出し枚数のメダル枚数表示器、８は投入シュート１０から投入されたメダル枚数を表示する投入メダル数表示器、９は貸機１の隣に配置した遊技機、１０は投入シュート、１０ａは投入シュートの前壁、１０ｂは投入シュートの左側壁、１０ｃは投入シュートの後壁、１０ｃ１は後壁１０ｃの上端の投入シュート１０の前方移動制限用のストッパー部、１０ｄは投入シュートの右側壁、１０ｄ１は右側壁１０ｄの前側面部、１０ｄ２は右側壁１０ｄの前中間側面部、１０ｄ３は右側壁１０ｄの後中間側面部、１０ｄ４は右側壁１０ｄの後側面部である。１０ｄ１２は前側面部１０ｄ１の後辺、１０ｄ２２は前中間側面部１０ｄ２の前辺、１０ｄ３２は後中間側面部１０ｄ３の後辺、１０ｄ４２は後側面部１０ｄ４の前辺、１０ｄ５は後中間側面部１０ｄ３の先端に設けた爪状の係止部、１０ｅは投入シュート１０の投入口、１０ｆは投入シュート１０の底面落し口、１０ｇは前壁１０ａの内側から後方に傾斜したメダル滑落面である。１０ｈ１は後辺１０ｄ１２に設けた軸支部、１０ｈ２は前辺１０ｄ２２に設けた軸支部、１０ｈ３は後辺１０ｄ３２に設けた軸支部、１０ｈ４は前辺１０ｄ４２に設けた軸支部、１０ｊ１は軸支部１０ｈ１，１０ｈ２の軸孔に貫通させた枢支軸、１０ｊ２は軸支部１０ｈ３，１０ｈ４の軸孔に貫通させた枢支軸、１０ｋ１は枢支軸１０ｊ１に取付けた前中間側面部１０ｄ２を右外方へ強く付勢する付勢部材であるコイルねじりばね、１０ｋ２は枢支軸１０ｊ２に取付けた後中間側面部１０ｄ３を左内方向に付勢する付勢部材であるコイルねじりばね、１１は投入口１０ｅの蓋、１１ａは同蓋１１の後端を回動させる為に貸機前面１ａの開口１０ａ１の上辺に取付けられた枢支する枢支軸、１１ｂは蓋１１の後端１１ｄに垂設したアーム、１１ｂ１はアーム１１ｂの下端に水平に突出した水平軸部、１１ｃは後側面部１０ｄ４に設けた水平軸部１１ｂ１を貫通してアーム１１ｂを連係する長孔、１１ｄは蓋１１の後端、１１ｅは前面１ａに固定された枢支軸１１ａの軸受部、１２は投入シュート１０の下方位置で貸機の前面１ａに突設したシュート受枠、１２ａはシュート受枠の上縁で、投入シュート１０を前後方向に滑らせる。１２ｂはシュート受枠の下方に開口したメダル落下口、１３は同メダル落下口１２ｂに連通したメダル搬送路、１４はメダル搬送路１３で送られてくるメダルの枚数をカウントするメダルカウンターである。
【００２１】
（実施例の動作）
この実施例の遊技機用貸機Ｇの基本的メダルの流れは、遊技店の島毎に配設されているメダル供給ライン２ａから貸機１内のメダルホッパー１ｂへメダルはメダル供給路２ｃを介して補給される。そして、紙幣が紙幣投入口３に投入されると紙幣判別装置４が紙幣の真偽を判断し、その紙幣額と枚数信号をコンピュータを使った制御管理装置５に入力し、同制御管理装置５でその投入紙幣の金額に応じたメダルの枚数の払出信号をメダル払出器１ｃへ出力する。又、同時に貸器１の前面１ａに設けた投入紙幣額表示器６と払出メダル枚数表示器７にその額と払い出すメダル枚数を表示する。そして、メダル払出器１ｃは払出信号を受けて、メダルホッパー１ｂの下部からその投入紙幣の額に応じた枚数のメダルをメダル払出路１ｄとその先端で貸機１の前面１ａから突出しているメダル払い出しシュート１ｅを介して遊技機９の受皿へ送り出している。この構造・機能は従来の貸機１の基本的なことで周知であるので、詳細は省略する。
【００２２】
又、貸機１の前面１ａには遊技機９で使用して遊技者が保有しているメダルをメダルの整理又は精算の為に投入するメダルの筒状の投入シュート１０を設けている。
この筒状の投入シュート１０の上方開口の投入口１０ｅからメダルが投入されると、メダルは直接又は一部はメダル滑落面１０ｇを介して底面落し口１０ｆから落下して、下方のシュート受枠１２の内部に入り、そのメダル落下口１２ｂを介してメダル搬送路１３を通過してメダルカウンター１４へ送られる。同メダルカウンター１４は送られてくるメダルの枚数をカウントし、そのカウント値の電気信号を制御管理装置５へ送り、投入メダル枚数を貸機１前面の投入メダル数表示器８に表示する。
この機能も、投入シュートを有する貸機１の公知の動作であるので、詳細は省いている。メダルカウンター１４及びオーバーフロー管１ｂ１から排出されるメダルは、メダル回収路２ｄを介してメダル回収ライン２ｂへ送られて回収される。
【００２３】
（メダル投入がない場合の投入シュートの状態）
投入シュート１０からメダルを投入しない場合、投入シュート１０はその前後方向の長さの３割程後方に押されて，図２及び図９（ａ）の図の状態にある。この後方状態では、メダルの投入口１０ｅの上方に開口している面積は３割程減少していて、蓋１１が閉じて投入口１０ｅは閉鎖され、投入口１０ｅから異物の投入ができないようになっている。
投入シュート１０をその下方のシュート受枠１２上縁１２ａに沿って後方に移動されると、蓋１１の後縁１１ｄの下方に垂設したアーム１１ｂはその貸機の前面１ａの開口１ａ１の上方の定位置の枢支軸１１ａまわりに回転でき、且つそのアーム１１ｂの下端の水平軸部１１ｂ１が後側面部１０ｄ４に設けた縦の長孔１１ｃに係合しているので、投入シュート１０が後方へ移動するとアーム１１ｂの水平軸部１１ｂ１も後方に移動し、長孔１１ｃに沿って上昇し、長孔１１ｃの孔終端で停止する。アーム１１ｂは枢支軸１１ａまわりに蓋１１を閉じる方向に回動し、蓋１１が投入シュート１０の投入口１０ｅの上縁に当った時、水平軸部１１ｂ１は長孔１１ｃの孔終端で停止するように調整されている。
【００２４】
そして、右側壁は図９（ｂ）及び図２に示すように、コイルねじりばね１０ｋ１，１０ｋ２によって前中間側面部１０ｄ２を右外方向に及び後中間側面部１０ｄ３を左内方向に拡巾するように付勢しているが、コイルねじりばね１０ｋ１の付勢力が強いため、前中間側面部１０ｄ２及び後中間側面部１０ｄ３を外右方向に付勢する。しかし、貸機１の前面１ａの開口１ａ１の開口縁が後中間側面部１０ｄ３の外側を規制することで垂直状態に保持され、又その内側に接触する前中間側面部１０ｄ２も垂直になり、投入口は本来の長方形状となり、しかも開口面積が３割程減った上、蓋１１が閉められ、図１，図９（ａ）の状態となる。
【００２５】
（メダル投入する場合）
遊技者がメダル投入したい場合は、遊技者は投入シュート１０を前方へ引き出す。投入シュート１０が前方へ移動すると、その後側面部１０ｄ４の長孔１１ｃも前方に移動し、同長孔に係合したアーム１１ｂの水平軸部１１ｂ１も図４に示すように前方へ移動し、蓋１１を枢支軸１１ａまわりに開くように回動する。これによって、投入口１０ｅは図３，５に示されるように全面的に上方に開放され、メダルを投入できるようになる。
【００２６】
一方、右側壁１０ｄはコイルねじりばね１０ｋ１によって前・後中間側面部１０ｄ２，１０ｄ３は右外方向に付勢されるが、後中間側面部１０ｄ３は図２，４，図９（ａ），図１２（ａ）に示すように開口１ａ１の開口縁１ａ２の前方にあって開口縁１ａ２に規制されて、箱形状を保っている。しかし、投入シュート１０が前方へ引き出されると開口縁１ａ２の規制がなくなって、コイルねじりばね１０ｋ１の付勢力によって図３，５，図９（ｂ），図１２（ｂ）の如く三角形状に右方向に拡がって、投入口１０ｅの開口面積は長方形状より更に右方向に膨れた開口形状となって増える。これによって、メダルを手で掬って投入口１０ｅへ投入してもメダルが投入口１０ｅ外へ零れて落下することが少なくなる。コイルねじりばね１０ｋ２は左内方向に戻すように付勢して、前・後中間側面部１０ｄ２，１０ｄ３を互に連係させて噛合状態を保持させる。
【００２７】
このように、本実施例では投入シュート１０を貸機１の前面１ａ方向に押しつけることで、投入口１０ｅが蓋１１で自動的に閉鎖され、異物の投入口１０ｅからの投入を少なくできる。
次に、投入シュート１０を前方に引出すと、投入口が長方形状となって基本的に面積が増えるとともに、右側面が三角形状拡巾して更に投入面積を増やし、メダルの零れなく投入し易くした。
【産業上の利用可能性】
【００２８】
本発明は、多くの遊技機と貸機が列設されたパチンコ・スロットルの遊技店の他に、多種の遊技機が置かれた近くに配置されるメダル貸機にも利用可能である。
【符号の説明】
【００２９】
Ｇ    遊技機用貸機（実施例）
Ｔ    棚
１    貸機
１ａ    前面
１ａ１    開口
１ａ２    開口縁
１ｂ    メダルホッパー
１ｂ１    オーバーフロー管
１ｃ    メダル払出器
１ｄ    メダル払出路
１ｅ    メダル払い出しシュート
２ａ    メダル供給ライン
２ｂ    メダル回収ライン
２ｃ    メダル供給路
２ｄ    メダル回収路
３    紙幣投入口
４    紙幣判別装置
５    制御管理装置
６    投入紙幣額表示器
７    払出メダル枚数表示器
８    投入メダル数表示器
９    遊技機
１０    投入シュート
１０ａ    前壁
１０ｂ    左側壁
１０ｃ    後壁
１０ｃ１    ストッパー部
１０ｄ    右側壁
１０ｄ１    前側面部
１０ｄ２    前中間側面部
１０ｄ３    後中間側面部
１０ｄ４    後側面部
１０ｄ５    係止部
１０ｄ１２    後辺
１０ｄ２２    前辺
１０ｄ３２    後辺
１０ｄ４２    前辺
１０ｅ    投入口
１０ｆ    底面落し口
１０ｇ    メダル滑落面
１０ｈ１，１０ｈ２，１０ｈ３，１０ｈ４    枢支部
１０ｊ１，１０ｊ２    枢支軸
１０ｋ１，１０ｋ２    コイルねじりばね
１１    蓋
１１ａ    枢支軸
１１ｂ    アーム
１１ｂ１    水平軸部
１１ｃ    長孔
１１ｄ    後端
１１ｅ    軸受部
１２    シュート受枠
１２ａ    上縁
１２ｂ    メダル落下口
１３    メダル搬送路
１４    メダルカウンター
【図１】
2017113447.tif 000003
【図２】
2017113447.tif 000004
【図３】
2017113447.tif 000005
【図４】
2017113447.tif 000006
【図５】
2017113447.tif 000007
【図６】
2017113447.tif 000008
【図７】
2017113447.tif 000009
【図８】
2017113447.tif 000010
【図９】
2017113447.tif 000011
【図１０】
2017113447.tif 000012
【図１１】
2017113447.tif 000013
【図１２】
2017113447.tif 000014